(57)【特許請求の範囲】
【請求項１】
単一又は複数のメッセージ情報を含む情報配信データを受信する受信手段と、
前記受信手段により受信された前記情報配信データを記憶する第１の記憶手段と、
前記第１の記憶手段に記憶された情報配信データに含まれるメッセージ情報を識別する識別情報を設定する設定手段と、
前記第１の記憶手段に記憶された前記情報配信データから前記設定手段により設定された識別情報を含むメッセージ情報を抽出する抽出手段と、
前記抽出されたメッセージ情報が格納されたファイルのファイル名と、該ファイル名と対応づけられた該抽出されたメッセージ情報の表示配置を示す表示配置情報とを記憶する第２の記憶手段と、
前記第２の記憶手段に記憶された前記ファイル名のファイルに格納された前記識別情報を含むメッセージ情報を該ファイル名に対応づけられた前記表示配置情報に従って表示する表示手段と、
を備えたことを特徴とする受信装置。
【請求項２】
前記表示手段は、前記第１の記憶手段に記憶された情報配信データを表示し、この表示の際に、前記設定手段により設定された前記識別情報を含むメッセージ情報を強調表示することを特徴とする請求項１記載の受信装置。
【請求項３】
前記設定手段により設定された前記識別情報と、該識別情報を含むメッセージ情報が前記受信手段により受信されたことを報知する報知方法とを対応づけて記憶する第３の記憶手段と、
前記第３の記憶手段に記憶された前記識別情報を含むメッセージ情報が前記受信手段により受信されたとき、前記第３の記憶手段によって該識別情報に対応づけて記憶された報知方法に従って報知する報知手段と、
を更に備えたことを特徴とする請求項１又は２に記載の受信装置。
【請求項４】
前記受信手段により受信された情報配信データは、前記単一又は複数のメッセージ情報とともに、さらに、タイトル情報を含み、
前記第２の記憶手段は、前記受信手段により受信された複数の情報配信データから前記抽出手段により抽出されたメッセージ情報を、該複数の情報配信データにそれぞれ含まれるタイトルの同一のタイトル情報毎に該タイトルをファイル名としたファイルに記憶し、
前記表示手段は、前記第２の記憶手段により記憶されたメッセージ情報を前記同一のタイトル情報に基づいて表示することを特徴とする請求項１乃至３の何れか一項に記載の受信装置。
【請求項５】
前記メッセージ情報は、さらに、サブタイトル情報を含み、
前記第２の記憶手段に記憶された表示配置情報は、タイトル情報、サブタイトル情報、着信日時、メッセージ情報の表示位置を示す情報を含むことを特徴とする請求項１乃至４の何れか一項に記載の受信装置。
【発明の詳細な説明】
【０００１】
【発明の属する技術分野】
本発明は、無線呼出し（以下にページングと称する）システムに代表される情報通信システムに適用される受信装置に関する。
【０００２】
【従来の技術】
従来の電話回線を使用した文字情報の送受を行う通信システムとしては、無線ページングシステムやホームバンキングシステムなどがある。そして、無線ページングシステムにおける送信データフォーマットとしては、ＰＯＣＳＡＧ方式がある。
【０００３】
しかしながら、近年の移動体通信技術の発達に伴ってサービス利用料金の値下げや、ビジネスユースのみならずパーソナルユース、特に、若年層への普及が進んだ結果、サービス加入者が増加して、十分なサービスの提供が困難になっている。
【０００４】
このように、最近の急激な需要の増加や機能の拡張に伴って、サービスも高度にする必要があり、その結果、標準規格「ＲＣＲ  ＳＴＤ−４３」で規定された高度ページング方式が導入されている。
【０００５】
まず、この高度ページング方式について以下に簡単に説明する。この高度ページング方式に採用されるデータ構成を図２７に示す。図２７において、Ａは１時間周期で送信されるサイクルデータ構成、Ｂは上記サイクルデータ構成Ａにおける１サイクルのフレームデータ構成、Ｃは上記フレームデータ構成Ｂにおける１フレーム内のデータ構成、そして、Ｄは１フレームのブロック構成を示している。サイクルデータ構成Ａは、“Ｎｏ．０”から“Ｎｏ．１４”までの番号が付けられた１５個のサイクルよりなる。
【０００６】
又、フレームデータ構成Ｂは、“Ｎｏ．０”から“Ｎｏ．１２７”までの番号が付けられた１２８個のフレームよりなり、これは４分周期で送信される。１フレームはデータ長が１．８７５秒あり、データ構成Ｃにおいて、１フレームのデータの中はそのデータ内容に応じて８つに区分されている。
【０００７】
これら８つのデータ内容はデータ構成Ｃ、ブロック構成Ｄで示されるように、、先頭部より、同期部１（Ｓ１）Ｃ１、フレーム情報（ＦＩ）Ｃ２、同期部２（Ｓ２）Ｃ３からなる１１５ミリ秒で送信される同期信号部Ｄ１と、ブロック情報（ＢＩ）Ｃ４、アドレスフィールド（ＡＦ）Ｃ５、ベクトルフィールド（ＶＦ）Ｃ６、メッセージフィールド（ＭＦ）Ｃ７、及びアイドルブロック（ＩＢ）Ｃ８の５種類のデータよりなり、１ブロックにつき１６０ミリ秒で１１ブロックで送信されるインターリーブブロック部Ｄ２とで構成される。
【０００８】
同期信号部Ｄの内、同期部１（Ｓ１）Ｃ１は、２値ＦＳＫ変調された１６００ＢＰＳの１１２ビットから構成され、当該フレームの受信タイミングや１６００ＢＰＳシンボルデータの受信タイミング、及びインターリーブブロック部Ｄ２が、以下の４種類のフレームタイプのうちどのフレームタイプでインターリーブ送信されるか、その送信形態を示すを情報が含まれている。
【０００９】
１．２値ＦＳＫ変調／１６００ＢＰＳ
２．２値ＦＳＫ変調／３２００ＢＰＳ
３．４値ＦＳＫ変調／３２００ＢＰＳ
３．４値ＦＳＫ変調／６４００ＢＰＳ
フレーム情報（ＦＩ）Ｃ２は、２値ＦＳＫ変調された１６００ＢＰＳの３２ビットで構成され、サイクルデータ構成Ａにおいて当該フレームが属するサイクルのサイクルＮｏ．のデータ（４ビット）、そしてこのサイクルＮｏ．のサイクルにおいて、当該フレームが属するフレームＮｏ．のデータ（７ビット）、及び複数回送信表示、及びその送信回数を規定する情報が格納される。
【００１０】
同期部２（Ｓ２）Ｃ３、及びブロック情報（ＢＩ）Ｃ４からアイドルブロック（ＩＢ）Ｃ８までのインターリーブブロック部Ｄ２は、上記同期部１（Ｓ１）Ｃ１で規定されたフレームタイプで送信されるデータである。
【００１１】
同期部２（Ｓ２）Ｃ３は同期部１（Ｓ１）Ｃ１で規定された変調方式及び伝送速度で送信されるインターリーブブロック部Ｄ２に対し、呼び出されたページャーが取り込めるようにタイミング情報を与えるブロックである。
【００１２】
ブロック情報（ＢＩ）Ｃ４は、インターリーブブロック部Ｄ２のブロック＃０にある通常は１ワードで構成されたデータであり、本フィールドが終了し、後述のアドレスフィールド（ＡＦ）Ｃ５の開始点となるワード番号（２ビット）、及びベクトルフィールド（ＶＦ）Ｃ６の開始点となるワード番号（６ビット）等の情報等を格納するブロック情報１が格納される。又、システムから定期的に送信されるブロック情報は２、３、又は４ワードあり、サイマルキャストシステムＩＤ、そして、フレームＮｏ．が０の時はカレンダー、実時間情報、タイムゾーン、及びシステムメッセージが格納される。
【００１３】
アドレスフィールド（ＡＦ）Ｃ５は、発呼先のページャーのアドレスデータを格納するフィールドであり、ショートアドレス（３２ビット）、又はロングアドレス（６４ビット）を格納する。
【００１４】
ベクトルフィールド（ＶＦ）Ｃ６は、アドレスフィールド（ＡＦ）Ｃ５と対を成し、後述のメッセージフィールド（ＭＦ）Ｃ７における自己メッセージデータが開始されるワード番号、及び自己メッセージデータのデータ長を示すワード数、及び自己メッセージデータのデータ形態等の情報を格納するフィールドである。
【００１５】
メッセージフィールド（ＭＦ）Ｃ７は、ベクトルフィールド（ＶＦ）Ｃ６で規定された情報に応じたメッセージデータを格納するフィールドである。そして、アイドルブロック（ＩＢ）Ｃ８は、未使用ブロックであり、ここには“１”又は“０”のパターンがセットされる。
【００１６】
また、図２７に示した上述の信号フォーマットは、それぞれａ，ｂ，ｃ，ｄの４つの独立したフェーズで時系列的に平行してインターリーブ送信される。すなわち、ＳＴＤ−４３方式を採用すれば、ページングサービス会社はこの４つのフェーズを単独または２乃至４つ使用することにより、内容の異なる１フレームのデータを多重化して一度に送信することも可能である。
【００１７】
この高度ページング方式では、以上のデータ構成を利用して提供されるサービスとして、基本的なページングサービスの他にページング受信機（以下、ページャーという）のアドレス毎にセンター側設備から呼に対してメッセージ番号を付加して送信し、又、センターでもメッセージを管理する「メッセージ通番サービス」や、為替相場等種々の情報メッセージを受信することができる「情報サービス」等がある。
【００１８】
又、この高度ページング方式に対応するページャーを利用する加入者は、基本サービスと付加的なこれらのサービスを選択することができ、例えば、上記「情報サービス」を選択した場合は、種々の情報提供会社から種々の情報メッセージを受信することができる。
【００１９】
【発明が解決しようとする課題】
しかしながら、従来のＰＯＣＳＡＧ方式より比較的長いメッセージを送信できる上記高度ページング方式でページングセンターから情報サービスを利用する利用者のページャーに情報サービスを送信する場合は、３０分とか１時間毎に定期的に情報サービスを送信するようになっており、ページャー側では定期的に送信される情報サービスデータを逐次受信し、内臓メモリに上書きして格納するのみで着信報知を行なわず、利用者からのメモリ読み出しモード指示が入力された時に、その格納した情報サービスデータを順次表示するようにしていた。
【００２０】
しかし、上記メモリ読み出しモード指示により内蔵メモリに格納された情報サービスデータを順次表示させるようにしていたため、利用者はその表示される情報サービスデータの内容を一々確認して必要とする情報サービスデータを検索する必要があり、必要とする情報サービスデータの読み出し操作に手間と時間がかかるという問題もあった。
【００２１】
本発明の課題は、利用者が必要とする情報サービスデータの読み出し操作を容易かつ検索時間を短縮する情報記憶管理機能とを備えた受信装置を提供することを目的とする。
【００２２】
【課題を解決するための手段】
請求項１記載の発明は、単一又は複数のメッセージ情報を含む情報配信データを受信する受信手段と、前記受信手段により受信された前記情報配信データを記憶する第１の記憶手段と、前記第１の記憶手段に記憶された情報配信データに含まれるメッセージ情報を識別する識別情報を設定する設定手段と、前記第１の記憶手段に記憶された前記情報配信データから前記設定手段により設定された識別情報を含むメッセージ情報を抽出する抽出手段と、前記抽出されたメッセージ情報が格納されたファイルのファイル名と、該ファイル名と対応づけられた該抽出されたメッセージ情報の表示配置を示す表示配置情報とを記憶する第２の記憶手段と、前記第２の記憶手段に記憶された前記ファイル名のファイルに格納された前記識別情報を含むメッセージ情報を該ファイル名に対応づけられた前記表示配置情報に従って表示する表示手段と、を備えたことを特徴としている。
【００２３】
この請求項１記載の発明の受信装置によれば、受信手段により受信された単一又は複数のメッセージ情報を含む情報配信データを第１の記憶手段に記憶し、この第１の記憶手段に記憶された情報配信データから設定手段によって設定された識別情報を含むメッセージ情報を抽出し、この抽出されたメッセージ情報が格納されたファイルのファイル名と、ファイル名と対応づけられた抽出されたメッセージ情報の表示配置を示す表示配置情報とを第２の記憶手段に記憶させ、さらに、この第２記憶手段に記憶されたファイル名のファイルに格納されたメッセージ情報をこのファイル名に対応づけられた表示配置情報に従って表示させる。
【００２４】
したがって、受信装置の利用者にとって所望のメッセージ情報が着信したときに、そのメッセージ情報を抽出して別に記憶することができ、さらに、表示配置情報に従って表示させるので、当該メッセージ情報を容易に読み出し、最適な表示配置で表示することができる。
【００２５】
この場合、請求項２に記載する発明のように、請求項１記載の受信装置において、前記表示手段は、前記第１の記憶手段に記憶された情報配信データを表示し、この表示の際に、前記設定手段により設定された前記識別情報を含むメッセージ情報を強調表示することが有効である。
【００２６】
この請求項２記載の発明の受信装置によれば、情報配信データを表示する際に、識別情報を含むメッセージ情報が強調表示されるため、情報配信データの表示から所望のメッセージ情報の内容を利用者が容易に確認することができる。
【００２７】
また、請求項３に記載する発明のように、請求項１又は２に記載の受信装置において、前記設定手段により設定された前記識別情報と、該識別情報を含むメッセージ情報が前記受信手段により受信されたことを報知する報知方法とを対応づけて記憶する第３の記憶手段と、前記第３の記憶手段に記憶された前記識別情報を含むメッセージ情報が前記受信手段により受信されたとき、前記第３の記憶手段によって該識別情報に対応づけて記憶された報知方法に従って報知する報知手段と、を更に備えることが有効である。
【００２８】
この請求項３記載の発明の受信装置によれば、識別情報と報知方法とを対応づけて記憶し、該識別情報を含むメッセージ情報が受信されたとき、該識別情報に対応づけて記憶された報知方法に従って報知するため、利用者は所望のメッセージ情報が受信されたことを該報知によって容易に確認することができ、さらに、該報知の際の報知方法をもとに受信された情報メッセージに含まれる識別情報を容易に認識することができる。
【００２９】
また、請求項４に記載する発明のように、請求項１乃至３の何れか一項に記載の受信装置において、前記受信手段により受信された情報配信データは、前記単一又は複数のメッセージ情報とともに、さらに、タイトル情報を含み、前記第２の記憶手段は、前記受信手段により受信された複数の情報配信データから前記抽出手段により抽出されたメッセージ情報を、該複数の情報配信データにそれぞれ含まれるタイトルの同一のタイトル情報毎に該タイトルをファイル名としたファイルに記憶し、前記表示手段は、前記第２の記憶手段により記憶されたメッセージ情報を前記同一のタイトル情報に基づいて表示することが有効である。
【００３０】
この請求項４記載の発明の受信装置によれば、情報配信データは、単一又は複数のメッセージ情報とともにタイトル情報を含み、第２の記憶手段は、受信手段により受信された複数の情報配信データから抽出されたメッセージ情報を、同一のタイトル情報毎に記憶し、さらに、表示手段により第２の記憶手段に記憶されたメッセージ情報が同一のタイトル情報に基づいて表示されるため、受信装置の利用者は同一のタイトル情報ごとのメッセージ情報を表示して内容を閲覧することができる。
【００３１】
また、請求項５に記載する発明のように、請求項１乃至４の何れか一項に記載の受信装置において、前記メッセージ情報は、さらに、サブタイトル情報を含み、前記第２の記憶手段に記憶された表示配置情報は、タイトル情報、サブタイトル情報、着信日時、メッセージ情報の表示位置を示す情報を含むことが有効である。
【００３２】
この請求項５記載の発明の受信装置によれば、メッセージ情報はサブタイトル情報を含み、第２の記憶手段に記憶された表示配置情報は、タイトル情報、サブタイトル情報、着信日時、メッセージ情報の表示位置を示す情報を含むため、受信装置の利用者にとって所望のメッセージ情報を、タイトル情報、サブタイトル情報、着信日時とともに最適な表示位置に配置して表示することができる。
【００４７】
【発明の実施の形態】
以下、図を参照して本発明の実施の形態を詳細に説明する。
図１〜図２６は、本発明の受信装置を適用したページングシステムの一実施の形態を示す図である。
まず、構成を説明する。
【００４８】
図１は、本実施の形態のページングシステムの概略構成を示す図である。当該システムにおいて、１はページャーであり、２はページャー１の利用者であり、３は各種情報サービスを提供する情報サービスセンターであり、情報サービスセンター３は、専用回線６を介してページングセンター４と接続されている。また、ページングセンター４は、送信局アンテナ５と接続されている。
【００４９】
ページングセンター４は、情報サービスセンター３から専用回線６を介して入力される各種情報サービスデータ（番組名データ＋サブタイトルデータ＋情報メッセージデータ＋サブタイトルデータ＋情報メッセージデータ…で構成される）を、従来の図２７に示したＲＣＲ  ＳＴＤ−４３の送信データフォーマットにおいて、メッセージフィールド（ＭＦ）Ｃ７にセットし、送信アンテナ５から予め情報サービス契約を行っている利用者２のページャー１に送信する。
【００５０】
このページングセンター４から送信されるメッセージフィールド（ＭＦ）Ｃ７にセットされた情報サービスデータのイメージを図２に示す。この図２において、下線Ａの「タウン情報」が番組名データ、下線Ｂの「立川市」がサブタイトルデータ、下線Ｃの「４／２７（日）立川駅で、・・・・」が情報メッセージデータであり、これらの各データはスペース（又は、改行指定コードでもよい）で区分けされている。なお、この図２に示すデータ構成は、あくまでもイメージであり、実際にはコード化され、インターリーブ処理されたデータがメッセージフィールド（ＭＦ）Ｃ７にセットされてページャー１に送信される。
【００５１】
次いで、図１のページャー１の内部の回路構成のブロック図を図３に示す。
【００５２】
同図において、ページャー１はアンテナ１０１、受信部１０２、デコーダー１０３、バッファメモリ１０４、デインターリーブ回路１０５、ＣＰＵ１０６、音源情報用ＲＯＭ１０７、表示制御情報用ＲＯＭ１０８、ドライバ１０９、表示部１１０、キー入力部１１１、ＩＤ−ＲＯＭ１１２、情報サービス用メモリ１１３、ＲＡＭ１１４、ＲＯＭ１１５、ドライバ１１６、スピーカー１１７、ＬＥＤ１１１８及びバイブレータ１１９等により構成されている。
【００５３】
アンテナ１０１は、図１のページングセンター４により送信アンテナ５から上記図２６に示したフォーマットで送信されるデータを受信して受信部１０２に出力する。
【００５４】
受信部１０２は、デコーダー１０３に接続され、このデコーダー１０３からの制御信号に基づいて駆動し、受信データの復調及び検波を行う。この受信部１０３は、図２６の同期部１（Ｓ１）Ｃ１を取り込むことによって２値あるいは４値の変調方式に従ってシリアルのビットデータをデコーダー１０３に選択出力する。
【００５５】
デコーダー１０３は、受信部１０２から入力される２値あるいは４値のシリアルのビットデータを８ビットのパラレルデータに並び換えてバスＢに出力する。また、デコーダー１０３は、ＣＰＵ１０６による受信されたアドレスフィールド（ＡＦ）Ｃ５のアドレスデータと、ＩＤ−ＲＯＭ１１２に登録されたアドレスデータとの照合の後、一致の際に出力される検出信号を受け取ると、一致したアドレスデータが含まれるフレームのベクトルフィールド（ＶＦ）Ｃ６及びメッセージフィールド（ＭＦ）Ｃ７の全データの継続受信を受信部１０２に指示する機能を有している。
【００５６】
バッファメモリ１０４は、自己フレームにおける最大１フレーム分（インターリーブブロック部Ｄ２）をアイドルブロック（ＩＢ）Ｃ８検出による着信処理終了までブロック単位で一時的に記憶し、後述するデインターリーブ回路１０５によるインターリーブ回復や、ＣＰＵ１０６による誤り訂正処理、アドレス照合の際にワークエリアとして使用されるメモリである。
【００５７】
デインターリーブ回路１０５は、上記デコーダー１０３より出力された２値あるいは４値の８ビットの各パラレルビットデータについて、それぞれのフレームパターンに応じて、フェーズ毎に分離して復元処理し、バスラインＢに出力する回路である。
【００５８】
ＣＰＵ（Central Processing Unit ）１０６は、ＲＯＭ１１５に格納されている各種制御プログラムに基づいて着信したビットデータを解析するとともに、キー入力部１１１から入力される各種制御信号に応じてページャー１内の各回路部を制御する。
【００５９】
また、ＣＰＵ１０６は、後述する着信処理に際して、情報サービスセンター３からページングセンター４、及び送信アンテナ５を介して定期的に送信される情報サービスデータの中から、予めＲＡＭ１１４内の報知制御情報メモリエリア（ＩＣＭ）１１４ａに設定された「キーワード」が含まれる情報メッセージデータ、及びこの情報メッセージデータのサブタイトルデータを抽出して、そのキーワード毎に予め設定されたメロディ番号のメロディ音で着信報知を行う。さらに、ＣＰＵ１０６は、後述する着信処理に際して、抽出した情報メッセージデータ、サブタイトルデータ、及びファイル名が存在しない場合は番組名データからなる情報サービスデータを、その情報メッセージデータと同時に着信した「ファイル名（番組名）」と対応付けてＲＡＭ１１４内の情報メッセージメモリエリア（ＩＭ）１１４ｃ内に格納し、後述するメッセージ読み出しモード指定処理において、その設定したキーワード及びファイル名を一覧表示し、この一覧表示において選択指示するだけで、所望の情報サービスデータを読み出して表示部１１０に表示させる。
【００６０】
さらにまた、ＣＰＵ１０６は、後述する着信処理に際して、図２１〜図２２に示す情報サービス設定モード処理を実行して、所望の情報メッセージデータの着信を報知するためのキーワードの設定、又、その着信処理において抽出された所望の情報メッセージデータを、サブタイトルデータ、番組名データ、着信日時データとともに定型の表示形態で表示するための表示テンプレートの設定、及びその着信処理において所望の情報メッセージデータを着信したことを通常報知とは異ならせて報知するためのメロディ音と対応するメロディ番号の設定を利用者が任意に設定可能とする。
【００６１】
音源情報用ＲＯＭ１０７は、図４に示すように、後述する報知制御情報メモリエリア（ＩＣＭ）１１４ａに設定されるメロディ番号とデジタル信号化されたメロディデータとを対応づけて記憶したメロディ対応テーブル（ＭＴ）１０７ａと、着信報知の際にＣＰＵ１０６を制御するための報知制御プログラムメモリ１０７ｂとを格納する。また、このメロディ対応テーブル（ＭＴ）１０７ａは、図５に示すように、各メロディデータの実際の格納アドレスを示すメロディ番号（００〜０３）と、メロディデータとを対応付けて記憶している。
【００６２】
表示制御情報用ＲＯＭ１０８は、図６に示すように、着信した情報サービスデータに基づく番組名データと表示内容（サブタイトルデータ、情報メッセージデータ）とを表示させる際、その表示フォント（書体）を定義するフォントテーブル（ＦＴ）１０８ａと、着信したこれらのデータに基づく番組名データ、及び表示内容の表示形態を定義するテンプレートテーブル（ＴＴ）１０８ｂと、実際にＣＰＵ１０６に対して表示制御を行わせ、ドライバ１０９を駆動させるための表示制御プログラムメモリ１０８ｃとを格納している。このフォントテーブル（ＦＴ）１０８ａは、図７に示すように、番組名データ、及び表示内容のフォントを指定するためのフォント番号と、そのフォント内容（明朝、ゴシック、ポップ等）とを対応付けて記憶している。テンプレートテーブル（ＴＴ）１０８ｂは、図８に示すように、番組名データ、サブタイトルデータ、情報メッセージデータをそれぞれＡ、Ｂ、Ｃとして、着信日時データとともに表示させる際、その表示位置、及び背景処理を含む表示制御方法（アニメーション、カラー表示等）を指定するためのテーブル番号と、表示画面イメージ（実際にはドライバ１０９を制御するための制御プログラム）とを対応付けて記憶している。
【００６３】
ドライバ１０９は、ＣＰＵ１０６から入力される表示制御情報に基づいて、表示部１１０を駆動させる表示駆動回路である。表示部１１０は、不図示の表示バッファ、及びＥＬバックライト等を備えた、例えば、ドットマトリクスの液晶パネル等で構成され、ドライバ１０９により駆動制御されて液晶パネル上にメッセージ等の情報を表示する。
【００６４】
キー入力部１１１は、例えば、負極が接地された電源電池２０の正極に接続され、電源のＯＮ／ＯＦＦ切り替え、各モードにおける諸設定の決定を検出するメインスイッチ１１１１、着信待ちモード、報知形態設定モード等のモード切り替え操作あるいはリストの選択操作を検出するカーソルキー１１１２、メッセージメモリ（ＭＭ）１１４ｂに格納されているメッセージデータに基づくメッセージの読み出し操作を検出するメモリキー１１１３、着信報知のリセット、モード状態の解除を検出する解除キー１１１４、及び、数字、英字、ひらがな、カタカナ、漢字、記号等の文字入力用に備えられた例えばＱＷＥＲＴＹ配列のキーボード１１１５からなり、各キーの入力操作に応じた各種操作信号をＣＰＵ１０６に出力する。
【００６５】
ＩＤ−ＲＯＭ１１２は、図９に示すように、例えばページャー１に設定される自己フレームのフレームナンバーデータと、アドレスデータ（３２ｂｉｔ）と、図２６のデータ構成Ｃのベクトルフィールド（ＶＦ）Ｃ６に設定されるｖ２、ｖ１、ｖ０、の３ビットのベクトルタイプとを対応づけて記憶する。
【００６６】
例えば、図９に示すページャー１Ａの場合、フレームナンバーデータ‘１０’、個別呼出用アドレスデータ＃Ａについて３種類、フレームナンバーデータ‘３２‘、情報サービス用アドレス＃Ｘについて１種類のアドレスを、呼出し時の設定内容に応じて記憶している。
【００６７】
また、その個別呼出用アドレスデータ＃Ａの設定内容は、個種別をベクトルデータの設定の差異により通常３種類設定しており、詳細には、１ｓｔアドレスデータ（基本呼出し用）、２ｎｄアドレスデータ（デュアルコール用）、３ｒｄアドレスデータ（通番サービス用）が記憶される。また、これらの１ｓｔ〜３ｒｄアドレスは、ＮＰページングサービス用（数字メッセージ、フリーワード、定型句）のものである。
【００６８】
また、その情報サービス用アドレス＃Ｘは、４ｔｈアドレス（情報サービスを受けるグループ呼出用）用に設定されるものである。したがって、この４ｔｈアドレスは、当該ページャー１Ａの所有者がページングセンター４で加入者が情報サービスを申し込むと、ページャー１に書き込まれるものである。また、この４ｔｈアドレスデータはＩＰページングサービス用であり、上記１ｓｔ〜３ｒｄアドレスとは異なり、漢字かな等で構成された比較的データ量の多い文字情報を受信するためのものである。このためメッセージは２バイトで１文字を指定するシフトＪＩＳコードを使用し、ベクトルタイプは１６進／２進ベクトル（１，０，０）に設定されている。
【００６９】
情報サービス用メモリ１１３は、図１０に示すように、３つの同じ記憶容量を持つメモリエリア１１３１〜１１３３を１つにしたものであり、上記ページングセンター４から図２に図示するような一連の情報サービスデータを受信すると、その着信日時とともに記憶し、メモリエリア１１３１〜１１３３全てに情報サービスデータが記憶されている場合、着信日時の古い情報サービスデータが記憶されているメモリエリアに上書きして記憶される。したがって、読み出しモードで情報サービスデータを見る場合、直近の３つの情報サービスデータを読み出して表示させることができる。
【００７０】
例えば、情報サービスデータを「９７．０３．３１  １８：００」に着信した場合は、図１１に示すように、この情報サービスデータを、この情報サービスデータの着信日時以前に着信した情報サービスデータを格納している情報サービス用メモリエリア１１３２に、上書きしながら順次書き込まれる。
【００７１】
ＲＡＭ（Random Access Memory）１１４は、図１２に示すように、報知制御情報メモリエリア（ＩＣＭ）１１４ａ、メッセージメモリエリア（ＭＭ）１１４ｂ、及び情報メッセージメモリエリア（ＩＭ）１１４ｃとで構成されている。この各メモリエリアのうち報知制御情報メモリエリア（ＩＣＭ）１１４ａは、図１３に示すように、着信した一連の情報サービスデータにおいて、特定のキーワードが含まれている情報メッセージデータを検出すると対応するメロディ番号で報知制御するように、キーワード管理番号、キーワード、及びメロディ番号を対応付けて記憶しており、この報知制御内容の対応付けは、情報サービス設定モードにおいてユーザーが自由に設定が可能である。このキーワード管理番号は情報メッセージメモリエリア（ＩＭ）１１４ｃにリンクするものである。
【００７２】
メッセージメモリエリア（ＭＭ）１１４ｂは、上記ＩＤ−ＲＯＭ１１２に設定される１ｓｔ〜３ｒｄアドレスで着信したＮＰページングサービスのメッセージデータを格納する。
【００７３】
情報メッセージメモリエリア（ＩＭ）１１４ｃは、図１４に示すように、キーワード管理番号とともにファイル名（番組名）、テンプレート番号、フォント番号、表示内容（サブアドレス、及び情報メッセージ）、着信日時の各データとを対応付けて格納している。この情報メッセージメモリエリア（ＩＭ）１１４ｃには、着信し、情報サービス用メモリ１１３に一連の情報サービスデータが格納されると、この情報サービスデータをキーワード検索し、キーワード条件に一致した情報メッセージデータを検出すると、抽出され複製されたこの情報メッセージデータと、この情報メッセージデータのサブタイトルデータと、番組名がファイル名として登録されてない場合は番組名データとを格納する。
【００７４】
この情報メッセージメモリエリア（ＩＭ）１１４ｃに格納される上記データのうちキーワード管理番号は、上記ＲＡＭ１１４内の報知制御情報メモリエリア（ＩＣＭ）１１４ａで設定されたキーワード管理番号とリンクしており、例えば、キーワード管理番号が「０１」の場合は、キーワードは「フリーマーケット」であるので、情報サービス用メモリ１１３内に記憶された情報サービスデータからキーワード「フリーマーケット」が含まれる情報サービスデータを検索して、既に設定されているファイル名と同じ番組名データについては、サブタイトルデータと情報メッセージデータとを、また、検索した結果、情報メッセージメモリエリア（ＩＭ）１１４ｃに設定されていないファイル名の番組名データでサブタイトルデータと情報メッセージデータとを抽出、複製した場合には、番組名データをも抽出、複製して転送し、この番組名データのファイル名で新規ファイルを作成し、デフォルトのテンプレート番号「００」とデフォルトのフォント番号「００」とを設定して、この中にサブタイトルデータと情報メッセージデータとを複製し、転送して情報メッセージメモリエリア（ＩＭ）１１４ｃに記憶させる。
【００７５】
すなわち、キーワード検索によって転送されたサブタイトルデータと情報メッセージデータとを、番組名データをファイル名にして記憶管理することができ、また、キーワードサーチした結果、現存するファイル名に格納できないサブタイトルデータと情報メッセージデータとを転送する場合は、これらのデータの番組名データをファイル名として新規に設定し、自動的にファイルを起こすことができる。
【００７６】
ＲＯＭ（Read Only Memory）１１５は、表示制御プログラムやその他各種プログラム等を格納する不揮発性の記憶媒体である。
【００７７】
ドライバ１１６は、着信した上記情報サービス内容に応じたメロディ音でスピーカー１１７を報音させるとともに、着信時にＬＥＤ１１８を点滅させ、バイブレーター１１９を振動させる。
【００７８】
次に、本実施の形態の動作を説明する。
本実施の形態では、情報サービスセンター３が専用回線６、ページングセンター４、送信アンテナ５を介してページャー１に情報サービスデータを送信する。情報サービスセンター６は、上記情報サービスデータを提供するため、情報サービスデータを、専用回線６を介してページングセンター４に送信する。
【００７９】
ページングセンター４では、情報サービスセンター３から受信した情報サービスデータからＲＣＲ  ＳＴＤ−４３で規定された上記図２７のデータ構成に基づいてページャー１に送信する送信データが作成され、そのメッセージフィールド（ＭＦ）Ｃ７には一連の情報サービスデータがセットされる。
【００８０】
上記情報サービスセンター３における情報サービスデータのデータ送信処理によりページングセンター４から情報サービスデータを受信したページャー１の着信処理について図１５〜図１６に示すフローチャートに基づいて説明する。
【００８１】
ページャー１内のＣＰＵ１０６は、電源スイッチの操作による電源投入後、各回路部の初期化設定や制御データの設定を実行してフレームＮｏ．０（時刻補正情報が格納されているフレーム）、及び自己フレームのフレームをサーチし（ステップＡ１）、フレーム同期が取れると（ステップＡ２）、間欠受信待機状態に入る（ステップＡ３）。そして、まずＣＰＵ１０６は、キー入力部１１１におけるカーソルキー１１１２のキー操作による読み出しモード入力の検出の有無をチェックする（ステップＡ４）。
【００８２】
すなわち、まず、着信処理では、上記情報サービスセンター３から送信スケジュールによりページングセンター４を介して送信される情報サービスデータの着信処理に際して、情報サービス用メモリ１１３内の情報サービス用メモリエリア１１３１〜１１３３に格納した情報サービスデータを読み出す読み出しモード指示を検出したか否かがチェックされる。
【００８３】
この読み出しモード検出処理において読み出しモード指示を検出しなければ、キー入力部１１１におけるカーソルキー１１１２、及びメインスイッチ１１１１の各キー操作による情報サービス設定モードの選択決定入力の検出の有無をチェックする（ステップＡ５）。すなわち、上記図１３に示したように、ＲＡＭ１１４内の報知制御情報メモリエリア（ＩＣＭ）１１４ａに記憶するキーワード管理番号と対応付けられたキーワード、及びメロディ番号の設定を行う指示を検出したか否かがチェックされる。
【００８４】
この情報サービス設定モード検出処理において情報サービス設定モード指示を検出しなければ、間欠着信処理によりアンテナ１０１によりページングセンター４から送信アンテナ５を介して無線で送信される送信データから自己フレームタイミングの有無を検出する（ステップＡ６）。自己フレームの送信タイミングを検出しなければ、ステップＡ３の間欠受信処理に戻り、自己フレームの送信タイミングを検出すると、そのフレームデータを取り込んで着信処理を開始する（ステップＡ７）。そして、アンテナ１０１により受信された信号の変調波が受信されて受信部１０２に出力され、更に検波、復調して、デコーダー１０３に出力する。
【００８５】
デコーダー１０３は、受信部１０２より入力された伝送速度に応じたシリアルデータを８ｂｉｔのパラレルデータに並び換えてバスＢに出力する。この後ＣＰＵ１０６が、デコーダー１０３から出力される８ｂｉｔのパラレルデータを取り込み、ＩＤ−ＲＯＭ１１２に登録されたアドレスデータとアドレスフィールド（ＡＦ）Ｃ５内のアドレスデータとを照合して、そのＩＤコードに含まれるアドレスデータが自己のアドレスデータとが一致するか否かを検出する（ステップＡ８）。一致しなければ、受信処理を打ち切って（ステップＡ９）、ステップＡ３の処理に戻り、一致した際には、一致信号を出力して、デコーダー１０３に対し、このフレーム内のデータを全て受信するよう受信部１０２の受信動作を継続させる。
【００８６】
続いて情報サービスセンター３からページングセンター４及び送信アンテナ５を介して送信された１フレームのデータを全て取り込む。そして、先に一致を検出したアドレスデータが４ｔｈアドレスか否かを検出する（ステップＡ１０）。４ｔｈアドレスでなければ、取り込んだフレームデータに誤り訂正処理を施してＲＡＭ１１４内のメッセージメモリエリア（ＭＭ）１１４ｂに格納し（ステップＡ１１）、そのメッセージメモリエリア（ＭＭ）１１４ｂに格納した自己宛のメッセージデータの内容を解析し、ドライバ１１６により駆動されるスピーカー１１７の報知音、ＬＥＤ１１８の点滅、あるいはバイブレータ１１９の振動により着信を報知するとともに、解析したメッセージを表示部１１０に表示して（ステップＡ１２）、ステップＡ３の間欠受信状態へ戻る。
【００８７】
また、ステップＡ１０において先に一致を検出したアドレスデータが４ｔｈアドレスであれば誤り訂正処理を施し、取り込んだ情報サービスデータを情報サービス用メモリ１１３内の情報サービスメモリエリア１１３１〜１１３３のうちの空きエリアに着信日時とともに、あるいは全てにデータが書き込まれていれば、当該情報サービスデータと着信日時を着信日時の古い情報サービスデータが記憶されているメモリエリアに上書きして格納して（ステップＡ１３）、図１６のステップＡ１４の処理に移行する。
【００８８】
そしてステップＡ１４において情報サービス用メモリ１３内の情報サービスメモリエリア１１３１〜１１３３に格納された情報サービスデータからキーワードが含まれる情報サービスデータの検索を開始する。すなわち、上記ＲＡＭ１１４内の報知制御情報メモリエリア（ＩＣＭ）１１４ａでキーワード管理番号とリンクして設定されたキーワードを含む情報メッセージデータが情報サービスメモリエリア１１３１〜１１３３に格納されているか否かを検索する。
【００８９】
例えば、上記図１３に示した場合では、キーワードは「フリーマーケット」であるので、情報サービス用メモリ１１３内に記憶された情報サービスデータからキーワード「フリーマーケット」が含まれる情報サービスデータを検索する。
【００９０】
又、報知制御情報メモリエリア（ＩＣＭ）１１４ａにキーワードが複数設定されている場合は、検索条件の複雑なもの、又はキーワードの字数が長いものから順次キーワード検索を行う。例えば、図１３に示されるように報知制御情報メモリエリア（ＩＣＭ）１１４ａにキーワードとして「フリーマーケット」、「フリーマーケット＊TEL 」、「多摩西部」の３つが設定されている場合は、
１．「フリーマーケット」＊「TEL」
２．「フリーマーケット」
３．「多摩西部」
の順に着信した情報メッセージデータのキーワード検索を行う。
【００９１】
そして、ステップＡ１５において、キーワードに該当する情報メッセージデータを検出しなければ、ステップＡ３の間欠受信状態へ戻り、キーワードに該当する情報メッセージデータを検出すれば、ステップＡ１６において、そのキーワードを含む情報メッセージデータとこの情報メッセージデータのサブタイトルデータとを抽出する。
【００９２】
そして、抽出したこれらのデータに対応する番組名データと同じファイル名が情報メッセージメモリエリア（ＩＭ）１１４ｃに設定されているか否かを判断する（ステップＡ１７）。ファイル名が設定されていれば、ステップＡ１３で抽出したこれらのデータを複製するとともに、情報サービス用メモリ１３内の情報サービスメモリエリア１１３の今回着信した情報サービスデータの着信日時データを対応するファイル名の情報メッセージメモリエリア（ＩＭ）１１４ｃ内に転送して格納する（ステップＡ１８）。このステップＡ１８の処理に対応する情報メッセージメモリエリア（ＩＭ）１１４ｃの記憶内容の具体例を図１７に示す。この図１７に示す記憶内容は、図１４に示す記憶内容から、番組名データ「イベント情報」の情報サービスデータ着信した場合を示すものであり、例えば、「フリーマーケット」＊「ＴＥＬ」でキーワード検索した結果、「その他イベント  逸品ぞろい！？アンティーク物フリーマーケット５／５に開催（TEL12-3456）」を検出し、キーワード管理番号を参照してファイル名「イベント情報」が設定されているため、着信した情報サービスデータの番組名データと一致していると判断し、情報メッセージメモリエリア（ＩＭ）１１４ｃ内のファイル名「イベント情報」に、複製した情報メッセージデータとこの情報メッセージデータのサブタイトルデータとを転送した場合を示している。
【００９３】
次いで、ＲＡＭ１１４内の報知制御情報メモリエリア（ＩＣＭ）１１４ａの設定内容（図１３）を参照し、情報メッセージメモリエリア（ＩＭ）１１４ｃに検索したキーワードのキーワード管理番号と対応して設定されているテンプレート番号から、そのテンプレート番号と対応する表示テンプレートを表示制御情報用ＲＯＭ１０８内のテンプレートテーブル（ＴＴ）１０８ｂから読み出すとともに、そのキーワード管理番号に対応するメロディ番号を報知制御情報メモリエリア（ＩＣＭ）１１４ａから取得して、そのメロディ番号に対応するメロディデータを音源情報用ＲＯＭ１０７内のメロディ対応テーブル（ＭＴ）１０７ａから読み出す（ステップＡ１９）。
【００９４】
そして、その読み出したメロディデータと音源情報用ＲＯＭ１０７に格納された報知制御プログラムメモリ１０７ｂによりドライバ１１６を制御してスピーカー１１７からメロディ報知させるとともに、読み出した表示テンプレートと表示制御情報用ＲＯＭ１０８に格納された表示制御プログラムメモリ１０８ｃによりドライバ１０９を制御して着信した情報サービスデータのうち、番組名と情報メッセージメモリエリア（ＩＭ）１１４ｃに転送された、サブタイトル、及び情報メッセージデータとを表示部１１０にデータ表示させる（ステップＡ２０）。
【００９５】
このステップＡ２０の表示処理に対応して表示部１１０に表示した各データの表示内容は図１９に示すようになる。すなわち、「フリーマーケット」＊「ＴＥＬ」でキーワード検索した結果として、図１７に示した情報メッセージメモリエリア１１４ｃのファイル名「イベント情報」の表示内容「その他イベント  逸品ぞろい！？アンティーク物フリーマーケット５／５に開催（TEL12-3456）」（サブタイトルデータ、及び情報メッセージデータ）を、その設定されたテンプレート番号「０２」に対応する図８の３段目の表示テンプレート内に、その設定されたフォント番号「０２」に対応する図７のフォント「ポップ」の書体で表示したものである。
【００９６】
また、ステップＡ１７において抽出した情報メッセージデータに対応するファイル名が情報メッセージメモリエリア（ＩＭ）１１４ｃに設定されていなければ、その抽出した情報メッセージデータの番組名データをも情報メッセージメモリエリア（ＩＭ）１１４ｃに抽出、複製、転送し、その番組名データにより新規ファイルを自動作成する（ステップＡ２１、Ａ２２）。そして、デフォルトとして表示テンプレートをテンプレート番号「００」、フォント番号「００（明朝）」にそれぞれ設定し（ステップＡ２３）、その抽出した情報メッセージデータ、サブタイトルデータ及び着信日時データを作成したファイルに転送して記憶させる。
【００９７】
このステップＡ２２、Ａ２３の各処理に対応する情報メッセージメモリエリア（ＩＭ）１１４ｃの記憶内容の具体例を図１８に示す。この図１８に示す記憶内容は、図１４に示す記憶内容から、番組名データ「個人情報」の情報サービスデータ着信した場合を示すものである。この場合、例えば、情報サービスデータとして番組名データ「個人情報」を着信し、「フリーマーケット」＊「ＴＥＬ」でキーワード検索して「譲ります  愛用のパソコンを日曜のフリーマーケットで売ります！（TEL11-1111）」を検出するが、情報メッセージメモリエリア（ＩＭ）１１４ｃのファイル名に「個人情報」が登録されていないので、情報サービス用メモリエリア１１３より番組名データ「個人情報」を転送して、ファイル名「個人情報」を新規作成し、この新規ファイルの中に「譲ります  愛用のパソコンを日曜のフリーマーケットで売ります！（TEL11-1111）」を転送し、デフォルトとしてテンプレート番号「００」及びフォント番号「００」を設定した場合を示している。
【００９８】
次いで、その設定したデフォルトのテンプレート番号「００」により対応する表示テンプレートを表示制御情報用ＲＯＭ１０８内のテンプレートテーブル（ＴＴ）１０８ｂから読み出すとともに、そのキーワード管理番号に対応するメロディ番号を報知制御情報メモリエリア（ＩＣＭ）１１４ａから取得して、そのメロディ番号に対応するメロディデータを音源情報用ＲＯＭ１０７内のメロディ対応テーブル（ＭＴ）１０７ａから読み出す。
【００９９】
そして、その読み出したメロディデータと音源情報用ＲＯＭ１０７に格納された報知制御プログラムメモリ１０７ｂによりドライバ１１６を制御してスピーカー１１７からメロディ報知させるとともに、読み出した表示テンプレートと表示制御情報用ＲＯＭ１０８に格納された表示制御プログラムメモリ１０８ｃによりドライバ１０９を制御して複製され、情報メッセージメモリエリア（ＩＭ）１１４ｃに転送された、、番組名データ、サブタイトルデータ、及び情報メッセージデータとを表示部１１０にデータ表示させる（ステップＡ２４）。
【０１００】
このステップＡ２４の表示処理に対応して表示部１１０に表示した各データの表示内容は図２０に示すようになる。すなわち、図１８の情報メッセージメモリエリア１１４ｃに新規に設定されたファイル名「個人情報」の表示内容「譲ります  愛用のパソコンを日曜のフリーマーケットで売ります！（TEL11-1111）」（サブタイトルデータ、及びメッセージデータ）を、その設定されたテンプレート番号「００」に対応する図８の１段目の表示テンプレート内に、その設定されたフォント番号「００」に対応する図７のフォント「明朝」の書体で表示したものである。
【０１０１】
上記ステップＡ２０、及びステップＡ２４の各処理を終了した後は、ステップＡ３の間欠受信状態へ戻る。
【０１０２】
以上のように、本実施の形態のページャー１では図１５、図１６の着信処理を実行することにより、情報サービスセンター３からページングセンター４、及び送信アンテナ５を介して定期的に送信される情報サービスデータの中から、予めＲＡＭ１１４内の報知制御情報メモリエリア（ＩＣＭ）１１４ａに設定されたキーワード検索によって、所望の情報メッセージデータが検出されて、サブタイトルデータとともに抽出、複製された後、情報メッセージメモリエリア（ＩＭ）１１４ｃに転送されて、着信した情報サービスデータの番組名データと同一のファイル名で記憶管理されるため、利用者が必要とする情報サービスデータの読み出し操作を容易かつ検索時間を短縮することができる。
【０１０３】
また、上記図１５のステップＡ４の読み出しモード検出処理において読み出しモード指示を検出すれば、図２１のステップＢ１以降の読み出しモード処理に移行する。
【０１０４】
読み出しモード指示が入力されると、まず、読み出しメニューを表示部１１０に表示する（ステップＢ１）。この読み出しメニューには、「着信メッセージの表示」（メッセージメモリエリア（ＭＭ）１１４ｂの読み出し）、「情報サービスの表示」（情報サービス用メモリ１１３の読み出し）、及び「ファイル登録情報の表示」（情報メッセージメモリエリア（ＩＭ）１１４ｃの読み出し）の３つのメニューが設定されているものとする。
【０１０５】
この表示した読み出しメニューにおいて、キー入力部１１１のカーソルキー１１１２、及びメインスイッチ１１１１の各キー操作により「着信メッセージの表示」が選択決定されたか（ステップＢ２）、「情報サービスの表示」が選択決定されたか（ステップＢ３）、「ファイル登録情報の表示」が選択決定されたか（ステップＢ４）、をそれぞれ検出し、「ファイル登録情報の表示」が選択決定されたことを検出すると、情報メッセージメモリエリア（ＩＭ）１１４ｃに設定されているデータを検索し（ステップＢ５）、まず、キーワードが設定されているか否かをキーワード管理番号の設定状況より判断する（ステップＢ６）。キーワードが設定されていないと判断した場合、ステップＢ１２の処理に移行し、キーワードが設定されていると判断した場合はさらにそのキーワードに基づいてファイル検索し（ステップＢ７）、キーワードが複数設定されているか否かを判断する（ステップＢ８）。
【０１０６】
キーワードが複数設定されていないと判断した場合は、ステップＢ１２の処理に移行し、キーワードが複数設定されていると判断した場合は、それらのキーワードを表示部１１０に一覧表示する（ステップＢ９）。そして、その一覧表示したキーワードに対してキー入力部１１１におけるカーソルキー１１１２、及びメインスイッチ１１１１の各キー操作により特定のキーワードが選択決定されたことを検出すると（ステップＢ１０）、その選択決定されたキーワードを含む情報メッセージデータが格納されたファイル名を情報メッセージメモリエリア（ＩＭ）１１４ｃから検索する（ステップＢ１１）。
【０１０７】
そして、その検索の結果、ファイル名が複数存在する場合は（ステップＢ１２）、その複数のファイル名を表示部１１０に一覧表示する（ステップＢ１３）。そして、その一覧表示したファイル名に対してキー入力部１１１におけるカーソルキー１１１２、及びメインスイッチ１１１１の各キー操作により特定のファイル名が選択決定されたことを検出すると（ステップＢ１４）、その選択決定されたファイル名と対応して情報メッセージメモリエリア（ＩＭ）１１４ｃに記憶された、サブタイトルデータと、情報メッセージデータの文頭から所定文字数だけピックアップされたデータとから作成されたリストを表示部１１０に表示する（ステップＢ１５）。
【０１０８】
そして、その一覧表示したリストに対してキー入力部１１１におけるカーソルキー１１１２、及びメインスイッチ１１１１の各キー操作により特定のリストが選択決定されたことを検出すると（ステップＢ１６）、対応するサブタイトルデータ、及び情報メッセージデータとを情報メッセージメモリエリア（ＩＭ）１１４ｃから読み出して、ファイル名、着信日時データとともに表示部１１０に表示する（ステップＢ１７）。そして、キー入力部１１１における解除キー１１１４のキー操作を検出すると（ステップＢ１８）、ステップＡ３の間欠受信状態に戻る。
【０１０９】
また、上記ステップＢ３において「情報サービスの表示」が選択決定されたことを検出すると、図２２のステップＢ１９の処理に移行し、情報サービス用メモリ１１３内の情報サービスメモリエリア１１３１〜１１３３に格納された情報サービスデータを検索する。そして、その検索した情報サービスデータの内容を表示部１１０に表示するが（ステップＢ２０）、複数の情報サービスデータが記憶されている場合は、直近の着信日時の情報サービスデータから表示を開始し、キー入力部１１１におけるメモリキー１１１３のキー操作に応じて着信日時順に情報サービスデータを表示する。また、情報サービスデータの表示の際、ＣＰＵ１０６は、表示指定された情報サービスデータにおいて、着信処理時にキーワード検索され情報メッセージメモリ（ＩＭ）１１４ｃに転送された情報メッセージデータ、及びこの情報メッセージデータのサブタイトルデータが存在する場合は、この情報メッセージデータ、及びこのサブタイトルデータを他の情報サービスデータと差別化して表示するよう制御する。
【０１１０】
図２３は、読み出しモードで「情報サービスの表示」が選択され、情報サービス用メモリ１１３２に格納された情報サービスデータの表示を選択したときの表示部１１０への表示例を示すものである。
【０１１１】
この場合、ＣＰＵ１０６は、情報サービス用メモリ１１３２に格納された情報サービスデータの表示を指定されると、この情報サービスデータにおいて、既に情報メッセージメモリ（ＩＭ）１１４ｃに転送されたサブタイトルデータ「福生市」、及び情報メッセージデータ「４／１３（日）市民会館で、フリーマーケット開催！ふるってご参加ください。」を、情報メッセージメモリ（ＩＭ）１１４ｃ内のファイル名「タウン情報」のデータを検索することで検出し、既に転送済みであることを示すために、αで示すようにこれらのデータに下線部を引き、これらのデータを強調して表示し、更に後続のデータがあることをβのアイコンをを表示させることで、利用者に識別させる。
【０１１２】
又、ＣＰＵ１０６は、情報サービスデータの表示の指定を検出すると番組名データ、サブタイトルデータ、情報メッセージデータの各データの間のスペース（空白）を指定するコードを検出し、各データを改行して表示するよう制御する。そして、キー入力部１１１における解除キー１１１４のキー操作を検出すると（ステップＢ２１）、ステップＡ３の間欠受信状態に戻る。
【０１１３】
また、上記ステップＢ２において「着信メッセージの表示」が選択決定されたことを検出すると、図２２のステップＢ２２の処理に移行し、メッセージメモリエリア（ＭＭ）１１４ｂに格納された着信メッセージデータを検索する。そして、その検索した着信メッセージデータの文頭からの所定字数分を抽出してリスト作成し、表示部１１０に表示し（ステップＢ２３）、キー入力部１１１におけるカーソルキー１１１２、及びメインスイッチ１１１１の各キー操作により特定の着信メッセージデータが選択決定されたことを検出すると（ステップＢ２４）、その選択決定された着信メッセージデータをメッセージメモリエリア（ＭＭ）１１４ｂから読み出して表示部１１０に表示する（ステップＢ２５）。そして、キー入力部１１１における解除キー１１１４のキー操作を検出すると（ステップＢ１８）、ステップＡ３の間欠受信状態に戻る。
【０１１４】
尚、「情報サービスの表示」における、情報メッセージメモリエリア（ＩＭ）１１４ｃへの転送済データの差別化表示は、図２３の表示例に限定されるものではなく、反転表示、点滅表示、他の書体で表示させる等、他の情報サービスデータと差別化できるものであれば何でもよい。
【０１１５】
また、表示部１１０がカラー表示機能を有するものであれば、表示色を他の情報サービスデータと異ならせて表示させても良い。
【０１１６】
更に、情報サービスデータの表示を指定された際、表示指定された情報サービスデータに、既に情報メッセージメモリエリア（ＩＭ）１１４ｃに転送されたデータがあることを検出した場合は、これらデータが格納されるファイル名と対応づけて設定されているキーワード管理番号よりメロディ番号をサーチし、情報サービスデータの表示と共にメロディ報知させても良い。
【０１１７】
以上のように、本実施の形態のページャー１では、上記着信処理において受信した情報サービスデータにおいて、予めＲＡＭ１１４内の報知制御情報メモリエリア（ＩＣＭ）１１４ａに設定された「キーワード」で検索されて、検出された情報メッセージデータは、この情報メッセージデータのサブタイトルデータとともに、その情報メッセージデータに設定された「ファイル名（番組名）」と対応付けてＲＡＭ１１４内の情報メッセージメモリエリア（ＩＭ）１１４ｃ内に複製、転送するようにしたため、図２１、図２２のメッセージ読み出しモード指定処理において、その一覧表示されるキーワード及びファイル名を選択指示するだけで、所望のデータを直ちに読み出して表示させることができ、ひいては利用者から指示された情報サービスデータの読み出し処理を容易にすることができる。
【０１１８】
また、上記図１５のステップＡ５の情報サービス設定モード指定検出処理において情報サービス設定モード指示を検出すれば、図２４のステップＣ１以降の情報サービス設定モード処理に移行する。
【０１１９】
情報サービス設定モード指示が入力されると、まず、情報サービスの設定内容を表示部１１０に一覧表示する（ステップＣ１）。この情報サービスの設定内容一覧としては、「キーワード設定」、「表示テンプレート設定」、及び「メロディ報知設定」の３つの設定項目がある。そして、その一覧表示した情報サービスの設定内容に対してキー入力部１１１におけるカーソルキー１１１２、及びメインスイッチ１１１１の各キー操作により特定の設定項目が選択決定されたことを検出すると（ステップＣ２）、その選択された設定項目が「表示テンプレート」か、「キーワード」か、「メロディ報知」かを判別する（ステップＣ３）。
【０１２０】
設定項目の「キーワード」が選択されると、ＲＡＭ１１４内の報知制御情報メモリエリア（ＩＣＭ）１１４ａに格納された設定内容を読み出し（ステップＣ４）、既にキーワードが設定されているか否かを検索する（ステップＣ５）。キーワードが設定されていなければステップＣ１３以降の処理に移行し、キーワードが設定されていれば、「新規設定」か「変更設定」かの入力指示メニューを表示部１１０に表示する（ステップＣ６）。そして、その入力指示メニューに対してキー入力部１１１におけるカーソルキー１１１２、及びメインスイッチ１１１１の各キー操作により「新規設定」が選択されたとを検出すると（ステップＣ７）、ステップＣ１３に移行して、キーワードの入力指示画面を表示部１１０に表示して、新規のキーワードの入力を促す。
【０１２１】
キー入力部１１１におけるキーボード１１１５のキー入力操作によりキーワード（のキーワードは半角、全角、数字、英数字、ひらがな、カタカナ、漢字、記号等なんでもよい）が入力され、そのキーワードの入力終了を検出すると（ステップＣ１４）、その入力された新規のキーワードを報知制御情報メモリエリア（ＩＣＭ）１１４ａに設定する（ステップＣ１５）。「設定完了」を表示部１１０に表示し（ステップＣ１６）、キー入力部１１１における解除キー１１１４のキー操作を検出すると（ステップＣ１７）、上記ステップＡ３の間欠受信状態に戻る。
【０１２２】
また、上記ステップＣ６の入力指示メニュー表示に対してキー入力部１１１におけるカーソルキー１１１２、及びメインスイッチ１１１１の各キー操作により「設定変更」が選択されたとを検出すると（ステップＣ８）、キーワードを報知制御情報メモリエリア（ＩＣＭ）１１４ａにキーワードが複数設定されているか否かを検索する（ステップＣ９）。設定されているキーワードが１つだけの場合は、そのキーワードを削除して（ステップＣ１２）、上記ステップＣ１３以降のキーワードの入力設定処理を実行して、キーワードの設定内容を変更する。
【０１２３】
また、キーワードが複数設定されている場合は、そのキーワードを報知制御情報メモリエリア（ＩＣＭ）１１４ａから読み出して表示部１１０に一覧表示して（ステップＣ１０）、変更するキーワードの選択を促す。そして、そのキーワードの一覧表示に対してキー入力部１１１におけるカーソルキー１１１２、及びメインスイッチ１１１１の各キー操作により変更対象のキーワードが選択されたことを検出すると（ステップＣ１１）、そのキーワードを削除して（ステップＣ１２）、上記ステップＣ１３以降の新規キーワードの入力設定処理を実行して、キーワードの設定内容を変更する。
【０１２４】
また、上記ステップＣ３の一覧表示した情報サービスの設定内容に対してキー入力部１１１におけるカーソルキー１１１２、及びメインスイッチ１１１１の各キー操作により設定項目の「表示テンプレート」が選択決定されたことを検出すると、図２５のステップＤ１以降の表示テンプレート設定処理に移行する。
【０１２５】
設定項目の「表示テンプレート」が選択されると、ＲＡＭ１１４内の情報メッセージメモリエリア（ＩＭ）１１４ｃに格納された設定内容を検索して（ステップＤ１）、ファイルが設定されているか否かをチェックする（ステップＤ２）。ファイルが設定されていなければステップＤ１９以降の処理に移行し、ファイルが設定されていれば、そのファイルのファイル名を情報メッセージメモリエリア（ＩＭ）１１４ｃから読み出す（ステップＤ３）。又、この読み出しの際、ファイルが複数設定されているか否かを判別し（ステップＤ４）、ファイルが複数設定されていなければステップＤ７以降の処理に移行し、ファイルが複数設定されていれば、それらのファイルのファイル名を情報メッセージメモリエリア（ＩＭ）１１４ｃから読み出して表示部１１０に一覧表示する（ステップＤ５）。
【０１２６】
そして、その一覧表示したファイル名に対してキー入力部１１１におけるカーソルキー１１１２、及びメインスイッチ１１１１の各キー操作により設定対象のファイル名が選択されたことを検出すると（ステップＤ６）、その選択された表度テンプレートに対して表示テンプレートの設定の修正を行うか否かの指示表示を表示部１１０に表示する（ステップＤ７）。
【０１２７】
そして、その表示した修正指示に対してキー入力部１１１におけるメインスイッチ１１１１のキー操作により修正指示が決定されたことを検出すると（ステップＤ８）、表示制御情報用ＲＯＭ１０８内のテンプレートテーブル（ＴＴ）１０８ｂに設定された表示テンプレートのテンプレート番号を読み出して表示部１１０の表示指示されたテンプレートの表示位置Ｃに表示するとともに、情報メッセージメモリエリア１１４ｃに設定されたファイル名を読み出して、表示指示されたテンプレートの表示位置Ａに表示して（ステップＤ９）、設定対象の表示テンプレートの選択を促す。
【０１２８】
その表示した表示テンプレート、テンプレート番号、及びファイル名に対してキー入力部１１１におけるカーソルキー１１１２、及びメインスイッチ１１１１の各キー操作により設定対象のテンプレート番号が選択決定されたことを検出すると（ステップＤ１０）、その選択されたテンプレート番号を情報メッセージメモリエリア（ＩＭ）１１４ｃに設定する（ステップＤ１１）。
【０１２９】
次いで、当該ファイル名に対するフォント番号の変更指示表示を表示部１１０に表示して（ステップＤ１２）、その表示した変更指示に対してキー入力部１１１におけるメインスイッチ１１１１のキー操作により変更指示が決定されたことを検出すると（ステップＤ１３）、情報メッセージメモリエリア（ＩＭ）１１４ｃに設定されたファイル名を読み出して、表示部１１０の先に設定されたテンプレートの表示位置Ｃに表示するとともに、表示制御情報用ＲＯＭ１０８内のフォントテーブル（ＦＴ）１０８ａに設定されたフォント番号を読み出して、先に設定されたテンプレートの表示位置Ａに表示して（ステップＤ１４）、変更対象のフォント番号の選択を促す。
【０１３０】
このフォント番号の表示に対してキー入力部１１１におけるカーソルキー１１１２、及びメインスイッチ１１１１の各キー操作により変更対象のフォント番号が選択されたことを検出すると（ステップＤ１５）、その変更されたフォント番号を情報メッセージメモリエリア（ＩＭ）１１４ｃに設定する（ステップＤ１６）。そして、「設定完了」を表示部１１０に表示し（ステップＤ１７）、キー入力部１１１における解除キー１１１４のキー操作を検出すると（ステップＤ１８）、ステップＡ３の間欠受信状態に戻る。
【０１３１】
また、上記ステップＤ１３の処理において変更指示の決定がなければ、変更されたテンプレート番号とファイル名とを情報メッセージメモリエリア（ＩＭ）１１４ｃに設定し（ステップＤ１６）、「設定完了」を表示部１１０に表示し（ステップＤ１７）、キー入力部１１１における解除キー１１１４のキー操作を検出すると（ステップＤ１８）、ステップＡ３の間欠受信状態に戻る。
【０１３２】
また、上記ステップＤ２の処理において情報メッセージメモリエリア（ＩＭ）１１４ｃにファイルが設定されていなければ、ファイルが存在しないことを表示部１１０に表示して（ステップＤ１９）、ステップＡ３の間欠受信状態に戻る。また、上記ステップＣ３の一覧表示した情報サービスの設定内容に対してキー入力部１１１におけるカーソルキー１１１２、及びメインスイッチ１１１１の各キー操作により設定項目の「メロディ報知」が選択決定されたことを検出すると、図２６のステップＥ１以降のメロディ報知設定処理に移行する。
【０１３３】
設定項目の「メロディ報知」が選択されると、ＲＡＭ１１４内の情報メッセージメモリエリア（ＩＭ）１１４ｃに格納された設定内容を検索して（ステップＥ１）、キーワードが設定されているか否かを検索する（ステップＥ２）。キーワードが設定されていなければステップＥ１４の処理に移行して、キーワードが存在しないことを表示部１１０に表示して、ステップＡ３の間欠受信状態に戻る。キーワードが設定されていれば、報知制御情報メモリエリア（ＩＣＭ）１１４ａに設定されているキーワードを読み出し（ステップＥ３）、そのキーワードが複数設定されているか否かをチェックする（ステップＥ４）。
【０１３４】
複数のキーワードが設定されていなければステップＥ７以降の処理に移行し、複数のキーワードが設定されていれば、そのキーワードを情報メッセージメモリエリア（ＩＭ）１１４ｃから読み出して表示部１１０に一覧表示する（ステップＥ５）。そして、その一覧表示したキーワードに対してキー入力部１１１におけるカーソルキー１１１２、及びメインスイッチ１１１１の各キー操作により設定対象のキーワードが選択されたことを検出すると（ステップＥ６）、その選択されたキーワードと対応するメロディ番号の変更指示表示を表示部１１０に表示する（ステップＥ７）。この時、選択されたキーワードと対応して設定されたキーワード管理番号を情報メッセージメモリエリア（ＩＭ）１１４ｃから取得し、その取得したキーワード管理番号とリンクして報知制御情報メモリエリア（ＩＣＭ）１１４ａに設定されているメロディ番号を取得して、表示部１１０に表示するとともに、そのメロディ番号に対応するメロディデータを音源情報用ＲＯＭ１０７内のメロディテーブル（ＭＴ）１０７ａから読み出して、そのメロディ音をスピーカー１１７から報音させる。
【０１３５】
そして、その表示した変更指示に対してキー入力部１１１におけるメインスイッチ１１１１のキー操作により変更指示が決定されたことを検出すると（ステップＥ８）、情報メッセージメモリエリア（ＩＭ）１１４ｃに設定されたキーワードとメロディ番号とを読み出して表示部１１０に表示して（ステップＥ９）、変更対象のメロディ番号の選択を促す。この時、キーワードと対応して設定されたメロディ番号を表示するとともに、そのメロディ番号に対応するメロディデータを音源情報用ＲＯＭ１０７内のメロディテーブル（ＭＴ）１０７ａから読み出して、そのメロディ音をスピーカー１１７から報音させる。
【０１３６】
その表示したキーワードとメロディ番号に対してキー入力部１１１におけるカーソルキー１１１２、及びメインスイッチ１１１１の各キー操作により設定対象のキーワードとメロディ番号が選択決定されたことを検出すると（ステップＥ１０）、その選択されたメロディ番号を報知制御情報メモリエリア（ＩＣＭ）１１４ａに設定する（ステップＥ１１）。そして、「設定完了」を表示部１１０に表示し（ステップＥ１２）、キー入力部１１１における解除キー１１１４のキー操作を検出すると（ステップＥ１３）、ステップＡ３の間欠受信状態に戻る。
【０１３７】
以上のように、本実施の形態のページャー１では、図２４〜図２６に示した情報サービス設定モード処理を実行することにより、上記着信処理において着信を報知する情報サービスデータを識別するためのキーワードの設定、その着信処理において着信を報知する情報サービスデータを表示するための表示テンプレートの設定、及びその着信処理において着信を報知する情報サービスデータを識別するためのメロディ音と対応するメロディ番号の設定を利用者が任意に設定することができる。また、そのメロディ番号の設定に際しては、その設定指示されたメロディ番号に対応するメロディ音を報知するようにしたため、利用者は設定指示するメロディ番号とメロディ音を確認しながら設定することができる。
【０１３８】
したがって、本実施の形態のページャー１では、情報サービスセンター３からページングセンター４及び送信アンテナ５を介して送信される情報サービスデータから必要な情報サービスデータの着信報知をさせる際に、その情報サービスデータを抽出させるためのキーワードと、その着信報知時の表示テンプレートと、その着信報知時のメロディ音とを自由に設定変更することができる。
【０１３９】
なお、上記実施の形態では、情報サービスデータに含まれるキーワードを指定することにより、着信報知させる情報サービスデータを抽出する場合を説明したが、情報サービスデータに含まれるアドレス情報を指定して着信報知させる情報サービスデータを抽出することも可能である。
【０１４０】
又、本発明は、実施の形態の一例として、ページングシステムにおける情報サービスに適用するページャーを記載したが、この実施の形態に限定されず様々なシステムに依存する受信装置に適用できる。
【０１４１】
例えば、無線電話システム、及びＰＨＳシステムに適用され、データ伝送された情報を表示する機能を備えた形態通信端末や、表示機能付きＰＨＳ端末、又はＦＭ信号を利用して音声情報とともに文字情報を放送する放送システムに適用されている文字放送受信装置でも良いし、テレターミナルシステム等のＭＣＡ無線データ通信システムに適用される無線通信端末でも本発明は適用可能である。
【０１４２】
【発明の効果】
請求項１記載の発明の受信装置によれば、受信装置の利用者にとって所望のメッセージ情報が着信したときに、そのメッセージ情報を抽出して別に記憶することができ、さらに、表示配置情報に従って表示させるので、当該メッセージ情報を容易に読み出し、最適な表示配置で表示することができる。
【０１４３】
請求項２記載の発明の受信装置によれば、情報配信データを表示する際に、識別情報を含むメッセージ情報が強調表示されるため、情報配信データの表示から所望のメッセージ情報の内容を利用者が容易に確認することができる。
【０１４４】
請求項３記載の発明の受信装置によれば、識別情報と報知方法とを対応づけて記憶し、該識別情報を含むメッセージ情報が受信されたとき、該識別情報に対応づけて記憶された報知方法に従って報知するため、利用者は所望のメッセージ情報が受信されたことを該報知によって容易に確認することができ、さらに、該報知の際の報知方法をもとに受信された情報メッセージに含まれる識別情報を容易に認識することができる。
【０１４５】
請求項４記載の発明の受信装置によれば、情報配信データは、単一又は複数のメッセージ情報とともにタイトル情報を含み、第２の記憶手段は、受信手段により受信された複数の情報配信データから抽出されたメッセージ情報を、同一のタイトル情報毎に記憶し、さらに、表示手段により第２の記憶手段に記憶されたメッセージ情報が同一のタイトル情報に基づいて表示されるため、受信装置の利用者は同一のタイトル情報ごとのメッセージ情報を表示して内容を閲覧することができる。
【０１４６】
請求項５記載の発明の受信装置によれば、メッセージ情報はサブタイトル情報を含み、第２の記憶手段に記憶された表示配置情報は、タイトル情報、サブタイトル情報、着信日時、メッセージ情報の表示位置を示す情報を含むため、受信装置の利用者にとって所望のメッセージ情報を、タイトル情報、サブタイトル情報、着信日時とともに最適な表示位置に配置して表示することができる。
【図面の簡単な説明】
【図１】本発明の受信装置を適用した一実施の形態のページングシステムの全体構成を示す図である。
【図２】図１のページングセンター４からページャー１に送信されるメッセージフィールド（ＭＦ）Ｃ７にセットされた情報サービスデータのイメージ例を示す図である。
【図３】図１のページャー１内部の回路構成を示すブロック図である。
【図４】図３の音源情報用ＲＯＭ１０７内のメモリ構成を示す図である。
【図５】図４のメロディ対応テーブル（ＭＴ）１０７ａ内に記憶される情報を示す図である。
【図６】図３の表示制御情報用ＲＯＭ１０８内のメモリ構成を示す図である。
【図７】図６のフォントテーブル（ＴＦ）１０８ａ内に記憶される情報を示す図である。
【図８】図６のテンプレートテーブル（ＴＴ）１０８ｂ内に記憶される情報を示す図である。
【図９】図３のＩＤ−ＲＯＭ１１２内に記憶される情報を示す図である。
【図１０】図３の情報サービス用メモリ１１３内のメモリ構成を示す図である。
【図１１】図２のメッセージフィールド（ＭＦ）Ｃ７にセットされた情報サービスデータが図１０の情報サービス用メモリエリア１１３２に格納された状態を示す図である。
【図１２】図３のＲＡＭ１１４内のメモリ構成を示す図である。
【図１３】図１２の報知制御情報メモリエリア（ＩＣＭ）１１４ａ内に記憶される情報を示す図である。
【図１４】図１２の情報メッセージメモリエリア（ＩＭ）１１４ｃ内に記憶される情報を示す図である。
【図１５】図３のページャー１により実行される着信処理の一部を示すフローチャートである。
【図１６】図１５に続く着信処理の一部を示すフローチャートである。
【図１７】図１６のステップＡ１８の処理においてＲＡＭ１１４内の情報メッセージメモリエリア（ＩＭ）１１４ｃに格納された情報メッセージデータの具体例を示す図である。
【図１８】図１６のステップＡ２２、Ａ２３の各処理においてＲＡＭ１１４内の情報メッセージメモリエリア（ＩＭ）１１４ｃに格納及び設定された情報メッセージデータの具体例を示す図である。
【図１９】図１６のステップＡ２０において表示部１１０に表示された情報メッセージデータの具体例を示す図である。
【図２０】図１６のステップＡ２４において表示部１１０に表示された情報メッセージデータの具体例を示す図である。
【図２１】図１５の着信処理においてメッセージ読み出しモードが指示された際に実行される読み出しモード処理の一部を示すフローチャートである。
【図２２】図２１に続く読み出しモード処理を示すフローチャートである。
【図２３】図２２のステップＢ２０において、表示部１１０に表示された情報サービス用メモリ１１３２の情報サービスデータの具体例を示す図である。
【図２４】図１５の着信処理において情報サービス設定モードが指示された際に実行される情報サービス設定モード処理の一部を示すフローチャートである。
【図２５】図２４の情報サービス設定モード処理において表示テンプレート設定が選択された際に実行される表示テンプレート設定処理を示すフローチャートである。
【図２６】図２４の情報サービス設定モード処理においてメロディ報知設定が選択された際に実行される報知メロディ設定処理を示すフローチャートである。
【図２７】従来の高度ページングシステムの標準規格「ＲＣＲ  ＳＴＤ−４３」で規定されたデータ構成を示す図である。
【符号の説明】
１    ページャー
１０１    アンテナ
１０２    受信部
１０３    デコーダー
１０４    バッファメモリ
１０５    デインターリーブ回路
１０６    ＣＰＵ
１０７    音源情報用ＲＯＭ
１０７ａ  メロディ対応テーブル（ＭＴ）
１０７ｂ  報知制御プログラムメモリ
１０８    表示制御情報用ＲＯＭ
１０８ａ  フォントテーブル（ＦＴ）
１０８ｂ  テンプレートテーブル（ＴＴ）
１０８ｃ  表示制御プログラムメモリ
１０９    ドライバ
１１０    表示部
１１１    キー入力部
１１１１  メインスイッチ
１１１２  カーソルキー
１１１３  メモリキー
１１１４  解除キー
１１１５  キーボード
１１２    ＩＤ−ＲＯＭ
１１３    情報サービス用メモリ
１１３１〜１１３３  情報サービスメモリエリア
１１４    ＲＡＭ
１１４ａ  報知制御情報メモリエリア（ＩＣＭ）
１１４ｂ  メッセージメモリエリア（ＭＭ）
１１４ｃ  情報メッセージメモリエリア（ＩＣ）
１１５    ＲＯＭ
１１６    ドライバ
１１７    スピーカー
１１８    ＬＥＤ
１１９    バイブレーター
【図１】
0003861371.tif 000002
【図２】
0003861371.tif 000003
【図３】
0003861371.tif 000004
【図４】
0003861371.tif 000005
【図５】
0003861371.tif 000006
【図６】
0003861371.tif 000007
【図７】
0003861371.tif 000008
【図８】
0003861371.tif 000009
【図９】
0003861371.tif 000010
【図１０】
0003861371.tif 000011
【図１１】
0003861371.tif 000012
【図１２】
0003861371.tif 000013
【図１３】
0003861371.tif 000014
【図１４】
0003861371.tif 000015
【図１５】
0003861371.tif 000016
【図１６】
0003861371.tif 000017
【図１７】
0003861371.tif 000018
【図１８】
0003861371.tif 000019
【図１９】
0003861371.tif 000020
【図２０】
0003861371.tif 000021
【図２１】
0003861371.tif 000022
【図２２】
0003861371.tif 000023
【図２３】
0003861371.tif 000024
【図２４】
0003861371.tif 000025
【図２５】
0003861371.tif 000026
【図２６】
0003861371.tif 000027
【図２７】
0003861371.tif 000028